(57)【特許請求の範囲】
【請求項１】
文書（１０）を認識し且つインデックスする方法において、
コンピュータ（３２）ヘ接続されているスキャナ（３０）が文書のスキャニングをし（２００）、
次いで該コンピュータのポインティング装置（３６）がスキャニングされた前記文書の少なくとも１個のボックス（１６−２４）における任意の点Ｐをユーザの操作に基づいて指定し（２５０）、
前記コンピュータが前記指定された点Ｐを取り囲む決められたサーチゾーンにわたって形状サーチアルゴリズムを適用することによって前記ボックスをサーチすると共に識別し、
このようにしてスキャニングした文書をインデックスさせることを可能とするために前記コンピュータへ接続されている第一データベース（３４）内に前記ボックス内のキャラクタを格納するために（２８０）前記コンピュータのＯＣＲが前記ボックス内のキャラクタを認識する（２７０）、
ことを特徴とする方法。
【請求項２】
請求項１において、前記形状サーチアルゴリズムが前記サーチゾーンの各垂直又は水平の線内に存在するピクセルの数をカウントする射影アルゴリズムであって、前記射影アルゴリズムは、これらのカウント数に基づいて、Ｘ及びＹ射影プロファイルにおけるピークを検査することによって前記サーチゾーン内に存在する水平及び垂直の線を見つけ出すことを特徴とする方法。
【請求項３】
請求項１において、前記形状サーチアルゴリズムがハフ変換に基づいたアルゴリズムであることを特徴とする方法。
【請求項４】
請求項１において、前記ＯＣＲが前記ボックス内のキャラクタを認識する前に、ユーザ入力に基づいて前記コンピュータが前記文書の前記ボックス内において認識されるべきキャラクタのタイプを定義付けするステップ（２６０）が行われることを特徴とする方法。
【請求項５】
請求項１において、前記文書のスキャニングが初期的に処理されるべき１組の文書に対して行われ、前記ボックスを識別し且つその内容に関してＯＣＲを実施することがその後に相次いで前記文書の各々に対して実施されることを特徴とする方法。
【請求項６】
請求項１において、前記文書のスキャニングが初期的に第一文書に対して実施され、前記ボックスを識別し且つその内容に関してＯＣＲを実施することがその後に前記文書に関して実施され、次いでこれら３つの操作を処理すべき文書の全てに対して相次いで繰返し行うことを特徴とする方法。
【請求項７】
請求項１乃至６のうちのいずれか１項において、前記認識し且つインデックスすべき文書がオプションとして異なるタイプの１組の技術的図面によって構成されていることを特徴とする方法。
【請求項８】
請求項１乃至６のうちのいずれか１項において、前記認識し且つインデックスすべき文書がオプションとして異なるタイプの１組のフォームによって構成されていることを特徴とする方法。
【請求項９】
文書（１０）を認識し且つインデックスする装置において、
文書をスキャニングし且つ前記文書の画像を送給するスキャナ（３０）、
前記スキャニングした画像を受取るために前記スキャナへ接続されているコンピュータ（３２）、
前記スキャニングした画像を格納するために前記コンピュータへ接続されている第一データベース（３４）、
前記コンピュータのポインティング装置（３６）を使用して前記画像の少なくとも１個のボックス（１６−２４）内の任意の点Ｐを指定し、その後に前記ユーザによって指定された前記点Ｐを取り囲む決められたサーチゾーンにわたって形状サーチアルゴリズムを適用することによって前記点Ｐを包含するボックスをサーチし且つ識別し、且つこのようにしてスキャニングした画像をインデックスさせることを可能とするために前記ボックス内のキャラクタをＯＣＲによって認識させるソフトウエア手段（１２０，１３０）、
を有していることを特徴とする装置。
【請求項１０】
請求項９において、更に、前記ボックス内の点Ｐを指定することなしに前記ボックスをその後自動的に識別させることを可能とするデータ（特性付けデータと呼称する）を格納するためにコンピュータ（３２）ヘ接続されている第二データベース（３８）を有していることを特徴とする装置。
【請求項１１】
請求項９において、更に、前記文書のボックス内において認識されるべきデータのタイプを定義するソフトウエア手段（１２０，１３０）を有していることを特徴とする装置。
【請求項１２】
請求項１０において、前記第一及び第二データベース（３４，３８）が前記コンピュータ（３２）のメモリ内に組込まれていることを特徴とする装置。
【請求項１３】
請求項９において、前記ポインティング装置が前記コンピュータ（３２）のキーボード又はユーザの指によって置換されていることを特徴とする装置。
【発明の詳細な説明】
【０００１】
【発明の属する技術分野】
本発明は、文書を認識し且つデータベース内にインデックス即ち索引付けする技術分野に関するものである。本発明は、特に、技術的図面及びフォームの要素のうちの幾つかを認識するだけでそれらをインデックス即ち索引付けすることを可能とする装置及び方法を提供するものである。
【０００２】
【従来の技術】
文書を認識するための多数の公知の方法が存在している。それらは、最初に、スキャニングステップを使用し、それに続いてセグメント化ステップを行い、次いで光学的キャラクタ認識（ＯＣＲ）ステップを行う。セグメント化ステップ（文書の細分化）は文書全体に対して（従来の「全頁」）又は文書の一部のみに対して適用することが可能である。
【０００３】
然しながら、後に文書を自動的にインデックス即ち索引付けさせることを可能とするこのような従来の方法は、認識すべき文書が余り複雑なものでない場合にのみ行うことが可能であるに過ぎない。更に、それは技術的な図面に対して適用されるものではない。この特定の分野においては、スキャニングの初期的なステップのみが実施され、セグメント化ステップ及び認識ステップはオペレータによって直接的に実施されるステップによって置換され且つ図面の１つ又はそれ以上のゾーン（実際には、図面のタイトルブロック即ち表題欄内に存在するもの）から図面をインデックスするために必要な特定な要素を手作業によって入力を行うものである。
【０００４】
このような状況下において、異なるタイプ（即ち、異なる形状の情報ブロック）のものである可能性がある１２個を超える技術的な図面をインデックス即ち索引付けすることが必要である場合には非常に厄介な作業となることが理解される。従って、現在のところ、自動認識に基づいてこのような図面をインデックスする方法に対する必要性が存在している。
【０００５】
【発明が解決しようとする課題】
本発明は、以上の点に鑑みなされたものであって、上述した如き従来技術の欠点を解消し、文書を認識し且つインデックスする簡単且つ低コストな技術を提供することを目的とする。
【０００６】
【課題を解決するための手段】
本発明によれば、コンピュータに接続されているスキャナを使用して文書のスキャニングを開始し、次いでコンピュータのポインティング装置を使用して文書の少なくとも１つのボックス内の任意の点Ｐを指定し、該ボックス内のキャラクタをＯＣＲによって認識し該キャラクタをコンピュータに接続されている第一データベース内に格納しこのようにしてスキャニングした文書をインデックス即ち索引付けさせることを可能とする技術が提供される。指定するステップは、ユーザによって指定された点Ｐを包含する文書のボックスをサーチし且つ識別することを包含している。
【０００７】
従って、本発明によれば、従来の手作業による入力は、同一のタイプの最初の文書をインデックスするために必要な要素の自動認識が使用可能な所定のゾーン（「ボックス」とも呼称する）を指定することに制限されている。認識し且つインデックスすべき文書は、１組の技術的な図面又はフォームによって構成することが可能であり、且つそれらは、オプションとして、異なるタイプのものとすることが可能である。
【０００８】
該ボックスを探し出し且つ識別するステップは、前にユーザによって指定された点Ｐの周りの所定のゾーンにわたって形状サーチアルゴリズムを適用することによって行われる。該形状サーチアルゴリズムは、ハフ（Ｈｏｕｇｈ）変換に基づいたアルゴリズム、又は該決定したサーチゾーンの各垂直又は水平の線内に存在するピクセルの数をカウントし且つそれらの数に基づいてＸ及びＹ射影プロファイル内のピークを検査して該サーチゾーン内に存在する水平及び垂直の線を見つけ出すプロジェクション即ち射影アルゴリズムとすることが可能である。
【０００９】
従って、該アルゴリズムを適用する区域を制限することによって、該文書のボックスを認識するのに必要な繰返し数を制限しながら、その実行速度を著しく増加させることを可能とする。
【００１０】
スキャニングステップは、好適には、処理すべき文書の全てに対して初期的に実施され、ボックスを識別するステップ及びその内容に関してＯＣＲを実施するステップは、その後に、該文書の各々に対して相次いで行われる。然しながら、同様に、スキャニングステップを最初に第一文書に対して実施し、ボックスを識別するステップ及びその内容に関してＯＣＲを実施するステップを同一の文書に対して実施し、これら３つのステップを処理すべき文書の全てに対して相次いで繰返し行うことが可能である。
【００１１】
本発明は、又、上述したステップを実行することによって文書を認識し且つインデックスする装置を提供している。好適には、本装置は、更に、前もってボックスの任意の点Ｐを指定することなしに、後にボックスを自動的に識別することを可能とするデータ（特性付けデータと呼称する）を格納するためにコンピュータに接続されている第二データベースを有している。
【００１２】
これらのデータベースは、コンピュータのメモリ内に組込むことが可能であり、又それらはコンピュータ外部に設けることが可能である。ポインティング装置はコンピュータのキーボード又はユーザの指によって置換させることが可能である。
【００１３】
【発明の実施の形態】
図１及び２に示したように、シート１０のような技術的又は産業上の図面は、図１２自身と種々の寸法の複数個の矩形状のボックスからなる情報ブロック１４とを有している。
【００１４】
これらの種々のボックスの殆どは技術的な図面をインデックス即ち索引付けするのに全てが同じように適した特定の記述を包含している。このことは、例えば、図面の投影、スケール又はフォーマットを特定する記述に対して適用される。インデックス即ち索引付けのために重要な記述は、一般的に、少なくとも、図面を識別する番号を包含している第一ボックス１６と、図面のタイトル即ち名称を包含している第二ボックス１８と、その図面を誰が描いたかを特定する第三ボックス２０とを包含している。勿論、これら３つの記述は制限的なものとして考えるべきものではなく、第四ボックス２２において得られるその最も最近の更新日付又は第五ボックス２４内に存在する頁番号等も考慮に入れることが可能である。
【００１５】
図３は図１に示したタイプの文書を認識し且つインデックスするための本発明方法を実施することを可能とするためにコンピュータシステムによって必要とされる最小のハードウエアアーキテクチャを示している。
【００１６】
このコンピュータシステムは、先ず、後にインデックスされるべき文書（特に、図面シート）をスキャニングするためのスキャナ３０又はデジタイザを有している。該スキャナはスキャニングのために従来のソフトウエア手段１００が設けられている従来のタイプのコンピュータ又はマイクロコンピュータ３２へ接続されている。コンピュータ３２へ接続されている第一データベース３４は、このようにしてスキャニングされた文書を格納する。理解されるように、コンピュータの内部記憶容量及びスキャニングされるべき文書に対応するデータの量に依存して、第一データベース３４は、図示した如く、外部的なものとするか、又はコンピュータ内部に直接的に受納させることが可能である。コンピュータは、勿論、この第一データベースを制御（それを作成し、それを検討し、それを修正する）ためのソフトウエア手段１１０を有している。
【００１７】
第一データベース３４において文書をインデックス即ち索引付けするために、これらの文書のある特定の要素を認識し且つ識別するための従来のタイプのＯＣＲソフトウエア手段１２０がコンピュータ３２に設けられている。然しながら、これらのＯＣＲ手段は、特性付けデータを包含しており且つこれらの文書を特に簡単且つ高速の態様で処理することを可能とさせる第二データベース３８と関連して特定のソフトウエア１３０によって制御される。
【００１８】
本発明においては、この認識は文書の決定された即ち所定のゾーン内においてのみ行われ、且つより詳細には、技術的な図面の場合には、例えばマウス、トラックボール、又はボックス内の任意の点Ｐを指定することを可能とさせるその他の任意の等価な装置（タッチスクリーンが使用される場合にはユーザ自身の指を含む）等のコンピュータのポインティング装置３６を使用してユーザによって特定された情報ブロックのボックス内においてのみ行われる。更に、指定が行われた後で、且つ処理を更に改善させるために、これらのソフトウエア手段１３０は、オプションとして、例えば、一連の数字キャラクタ（識別番号の場合）、又は一連の英文字キャラクタ（例えば、表題又は著者の氏名の場合）等の指定されているボックス内において認識されるべきデータのタイプをユーザが定義するように促すことが可能である。
【００１９】
上述した装置において実行される方法を図４に示してあり、それは以下のようなステップに従って実行される。ソフトウエア手段１００と関連しているスキャナ３０によって第一文書を第一ステップ２００においてスキャニングした後に、その文書の画像が、第二ステップ２１０において、コンピュータ３２のメモリ内に一時的に格納され、且つ、それがコンピュータのディスプレイスクリーン上に同時的に表示される場合もある（必要である場合には、倍率又は「ズーム」操作を行った後に）。処理用のソフトウエア手段１３０が特性付けデータベース３８からのデータに基づいてスキャニングされた文書のタイプを識別することが不可能である場合には（ステップ２２０における判定）、この識別は処理の持続のステップ期間中に実施され、且つ、特に、そのソフトウエア手段１３０と関連しているポインティング装置３６を使用してステップ２３０を初期的に実施し、その際に、ユーザがその文書の最初の所定のゾーン、例えばその図面の識別番号を包含している該図面の情報ブロック１４内のボックス１６、における点Ｐを指定する。オプションとして、且つステップ２４０において点線で示したように、ユーザは、次いで、このボックス内において認識されるべきキャラクタのタイプを特定することが可能である。この表示は認識されるべきキャラクタの選択（例えば、０乃至９の数字のみ）を制限することが可能であり、それにより後のＯＣＲステップを改善させる。この点が指定されると（その座標が所定の原点と相対的に決定される）、新たなステップ２５０が実行され、その場合に点Ｐを包含するボックスがサーチ即ち探索され且つ識別され（即ち、そのボックスの境界線がサーチされ且つ図５を参照してより詳細に説明するように識別され）、且つそのボックスが識別されると（例えば、そのボックスの輪郭が輝度が増加されて表示されるか又は別の色で表示され）、その特性付け要素がステップ２６０において第二データベース３８内に格納され（そのボックスの寸法及びその中心位置も格納される）、且つそのすぐ後のステップ２７０において、従来のソフトウエア手段１２０を使用してそのボックス内のキャラクタに関してＯＣＲが実行され、この認識操作の終りは、例えば、コンピュータがユーザに対して制御を返すことによって示される。
【００２０】
次いで、上述した５つのステップ２３０，２４０，２５０，２６０，２７０を２番目の決定したゾーンに対して繰返し行い、次いで、その文書が完全に識別されるまで、即ち、ソフトウエア手段１１０が、それがなされるべき使用に依存して以前に決定されたようにその文書をインデックスするのに必要な全てのゾーンを考慮するまで、別のゾーンについて繰返し行われる。この操作が実施されると、新たなステップ２８０が実行され、その場合にスキャニングされた画像が第一データベース３４内に格納される。前述したステップの全てが、オプションとして、第二のタイプの文書に対して繰返し行われ、且つスキャニングし且つインデックスすべき文書が存在しなくなるまで同様に行われる。その後に、第一データベース３４をソフトウエア手段１１０によって取り扱うことが可能であり、該ソフトウエア手段はユーザによって選択された基準の関数として及び最初に表示したインデックス用要素の１つ又はそれ以上に対応して該データベース内の文書の各々へのアクセスを与えるべく機能する。
【００２１】
重要なことは、上述した指定操作は与えられたタイプの最初の文書をインデックスする場合にのみ実行されるということであり、何故ならば、処理の為に供給する次続の文書が同一のタイプのものである場合には、ステップ２２０における判別の結果「ＹＥＳ」が得られ、且つインデックスのために必要な種々の項目を担持する同一のゾーンを指し示すことは最早必要ではないからである。ボックスの座標が最初に指定された場合にソフトウエア手段１３０がそれらを特性付けデータベース３８内に格納するので、原点から開始して次続の文書において同一のボックスをサーチするだけで充分であり（ボックスの区域にわたってテストされている類似性及び図５を参照して説明するようなある大きさの公差を有している）、且つ各ボックスが識別されると、ボックス内における点を指定することなしに、その内容がＯＣＲによって自動的に解析される。
【００２２】
従って、容易に理解されるように、本発明方法は極めて高速であり且つ効果的である。何故ならば、１組の類似した文書の場合には、ユーザが介入することが必要な最初の場合に与えられたタイプの文書が識別されると、次続の文書はユーザが何等動作を行うことなしに継続して自動的に識別することが可能である。各場合において、ＯＣＲは文書をインデックスするのに必要な要素に対してのみ適用され、従来技術における場合のように文書全体に関して適用されるものではない。
【００２３】
上述したような「１つづつ」のスキャニング（１つの文書の後に次の文書）はバッチ毎のスキャニング又は処理すべき１組の文書の全てのスキャニング（即ち、自動的に且つ対応するスキャニングした画像をコンピュータ内に格納）によって置換することが可能であり、最初のスキャニング操作が完了した後に、相次いでその組内の文書の各々に関して識別ステップ及びＯＣＲステップを実行することが可能である。
【００２４】
図５はユーザがボックス内の点Ｐを指定することのみによって決定される場合にボックスを識別するためのソフトウエア手段１３０において実施されるサーチサブプログラムによって実行される種々の操作を示している。これらの操作は射影アルゴリズム又はハフ変換（丸い形状の場合）等の形状サーチアルゴリズムを適用することに基づいている。特に、従来の射影アルゴリズムの特定の適用が実施され、それは画像の各垂直及び水平線内に存在するピクセル数をカウントし、且つこれらのカウント数に基づいて、Ｘ及びＹ射影プロファイルによってそのボックスの画像内の水平線及び垂直線を見つけ出す（その場合に、該射影プロファイルにおけるピークによってそれらの線が決定される）。このアルゴリズムは非常に高い信号対雑音比を与える利点を有している。何故ならば、１本の線内の「穴」の存在（即ち、混合ピクセル）はピークの高さに殆ど影響を有するものではなく、且つ同様に、その線が幾分勾配を有する場合にも、それはピークの位置に殆ど影響を与えるものではないからである。
【００２５】
然しながら、本発明においては、この射影アルゴリズムは文書全体に適用されるものではなく、ポインティング即ち指定ステップ２２０期間中に指定された点Ｐ周りに定義されるその決定された即ち所定のゾーン（第一ステップ３００において定義された区域Ｓｉ）に適用されるに過ぎない。従って、このサーチゾーンが完全に認識されるべきボックスを包含しているものと仮定すると、そのボックスの右側を見つけ出すためには点Ｐの右側へ垂直線の全てを単に射影するだけで充分である（それは、ピークが最も大きいか又は与えられたスレッシュホールドよりも大きい場合である）。そのボックスの左側に対する点の左側における垂直線についても同じことが行われ、且つそのボックスの夫々上側及び下側を見つけ出すためにその点の上側及び下側の水平線についても同じことが行われる。然しながら、実際には、この最初のサーチゾーンは識別されるべきボックス内に存在しているか又はそれとオーバーラップしており（例えば、図６Ａにおける区域Ｓ１参照）、従って、それがボックスを完全にカバーするまでこのゾーンの面積を段階的に（相次いで決定されるステップで）増加させることが適切であり、それによりそれを識別させることを可能とする（図８Ａにおける区域Ｓ３参照）。各場合において、射影アルゴリズム（ステップ３１０）が適用される。２つの相次ぐ区域に対して、先行するステップ３２０において決定された射影ピークの位置が同じままである場合に識別が終了する（ステップ３３０における判別）。次いで、見つけ出されたボックスの座標が、後に、次続の文書の自動的な認識のために使用されるべく次のステップ３４０において格納される。該アルゴリズムの実施の１例が図６Ａ乃至８Ｃに示してあり、それはインデックスを行うための情報を包含しているボックス１８を識別するために実行される処理を示している。
【００２６】
ユーザがボックスの最も左側をクリックしたものと仮定する。次いで、ソフトウエア手段１３０が、図６Ａに示したように、この点の周りに面積Ｓ１の第一矩形サーチゾーンを形成し、そのゾーンは右側の垂直側部４００及び識別されるべきボックスの上部部分及び底部部分４０２及び４０４を包含している。射影アルゴリズムを第一サーチゾーンへ適用することによって図６Ｂ及び６Ｃの水平及び垂直射影が得られる。図６Ｂは夫々の水平側部４０２及び４０４に対応する２つのピーク４１２及び４１４を明らかに示しており、且つ図６Ｃは垂直側部４００に対応する単一のピーク４１０を示している。この初期的な解析はボックス１８を解析することを可能とするものではなく、従って次いで、面積Ｓ２の第二サーチゾーンが自動的に検査され、且つ図７Ａに示したように、この区域は未だに右側垂直側部４００及びより長いものではあるが２つの水平側部４０２，４０４の一部を包含している。水平及び垂直射影アルゴリズムの結果は図７Ｂ及び７Ｃに示してある。ピーク４１０，４１２，４１４が水平射影及び垂直射影においてどの程度記述「ＦＬＡＮＫ」が表われるかに依存してより多く又はより少なく表現されているその他のピーク４１８及び４２０と共に示されている。最後に、この２番目のアルゴリズムの適用は、未だに、ボックス１８を完全に識別することを可能とするものではないので、面積Ｓ３の第三サーチゾーンが自動的に定義され、それは、この場合には、ボックス１８全体をカバーし（図８Ａ参照）、特に、その左側の垂直側部４０６と共に、その水平側部４０２及び４０４を完全にカバーしている。対応するアルゴリズムから得られる水平射影を図８Ｂに示してあり、それは２つの水平側部４０２及び４０４に対応する２つのピーク４１２及び４１４を有している。然しながら、この垂直射影は、この場合には、一連のピーク４２０に加えて、ボックス１８の右側４００に対応するピーク４１０のみならず、ボックスの左側４０６に対応する新たなピーク４１６も示しており、従ってボックス１８を完全に識別することを可能としている。
【００２７】
本発明方法及び装置を、基本的に、技術的な図面を認識し且つインデックスする点について説明したが、本発明をその他のタイプの文書について使用することも可能であり、特に、最も有益的な適用は、例えば注文タイプ（特にメールオーダー用）又は手術シート等のフォームを認識し且つインデックスする場合である。現在のところ、このようなフォームを処理する場合には該フォーム上の特別の位置に位置させた特別の記号によって前もって特性付けされることを必要とし、そのような記号がそのフォームのタイプを自動的に識別することを可能とする。このような状況下にあっては、フォームの特性付けを行うことは時間がかかり且つ複雑な処理であり且つ大量の同様の文書をスキャニングすることが必要である場合にのみ正当化されるに過ぎない。
【００２８】
本発明の場合には、このような従来技術において必要とされる特性付けは解消されており且つ処理されるべきフォームのボックスのみを指定／識別するステップによって置換されている。
【００２９】
従って、本発明は特に高速であり（２，３の技術的図面又はフォームのみを処理するに過ぎない場合には重要である）、簡単であり、且つ熟練していないオペレータによっても実施することが可能である。更に、スキャニングされる文書が動かされることによって発生する場合のあるノイズに対しても安定なものである。
【００３０】
以上、本発明の具体的実施の態様について詳細に説明したが、本発明は、これら具体例にのみ制限されるべきものではなく、本発明の技術的範囲を逸脱することなしに種々の変形が可能であることは勿論である。
【図面の簡単な説明】
【図１】  技術的な図面の一例を示した概略図。
【図２】  図１に示した種類の図面における情報ブロックの一例を示した概略図。
【図３】  本発明に基づいて文書を認識し且つインデックスするための装置のハードウエア構成を示した概略図。
【図４】  図１の図面を認識し且つインデックスする場合の図３の装置の動作を示したフローチャート。
【図５】  図２のブロックにおける１つのボックスをサーチし且つ識別するための機能のより詳細な処理を示したフローチャート。
【図６Ａ】  識別されるべきボックスの一部を組込んだ第一サーチゾーンを示した概略図。
【図６Ｂ】  図６Ａのサーチゾーンから得られた射影プロファイルを示した概略図。
【図６Ｃ】  図６Ａのサーチゾーンから得られた射影プロファイルを示した概略図。
【図７Ａ】  識別されるべきボックスのより大きな部分を組込んだ第二サーチゾーンを示した概略図。
【図７Ｂ】  図７Ａのサーチゾーンから得られた射影プロファイルを示した概略図。
【図７Ｃ】  図７Ａのサーチゾーンから得られた射影プロファイルを示した概略図。
【図８Ａ】  識別されるべきボックスを完全に包含する第三サーチゾーンを示した概略図。
【図８Ｂ】  図８Ａのサーチゾーンから得られた射影プロファイルを示した概略図。
【図８Ｃ】  図８Ａのサーチゾーンから得られた射影プロファイルを示した概略図。
【符号の説明】
１０  図面（シート）
１２  図面
１４  情報ブロック
１６，１８，２０，２２，２４  ボックス
３０  スキャナ
３２  コンピュータ
３４  第一データベース
３８  第二データベース
１１０  ソフトウエア手段
１２０  ＯＣＲソフトウエア手段
１３０  ソフトウエア
【図１】
0004873787.tif 000002
【図２】
0004873787.tif 000003
【図３】
0004873787.tif 000004
【図４】
0004873787.tif 000005
【図５】
0004873787.tif 000006
【図６Ａ】
0004873787.tif 000007
【図６Ｂ】
0004873787.tif 000008
【図６Ｃ】
0004873787.tif 000009
【図７Ａ】
0004873787.tif 000010
【図７Ｂ】
0004873787.tif 000011
【図７Ｃ】
0004873787.tif 000012
【図８Ａ】
0004873787.tif 000013
【図８Ｂ】
0004873787.tif 000014
【図８Ｃ】
0004873787.tif 000015